(57)【要約】【課題】今までの無線ＬＡＮの方式では全てのデータの誤り検出を行い、誤りが発生すると上記ＡＣＫの手段を使用して誤りが無くなるまで再送を繰り返す。このため、実効のデータ転送レートが低くなり、大画面のリアルタイム映像伝送ができないという課題があった。【解決手段】送信側では誤り再送処理を必要とするデータと再送処理を必要としないデータとを分ける手段を設け、送信データ内に再送処理を必要としないデータであるかどうかを示す情報を付加してデータ送信する構成にする。受信側では再送処理を必要としないデータである場合には、誤り検出手段にて検出された結果に関わらずＡＣＫを送信することにより誤りが発生しても再送が行われない。このため、データ転送レートを落とす原因の再送回数を減らせるため、実行データ転送レートを高く設定でき、リアルタイム映像伝送が可能となる。【選択図】　図１
2004064271.tif 000002
【特許請求の範囲】
【請求項１】
無線を用いてデータを送受信するための無線送受信部を備え、
他の送受信機へのデータ送信後に、前記他の送受信機からの正常受信信号を受信しなかった場合は、データを再送することにより正常な無線送受信を行う送受信機であって、
送信データのデータ属性が正常受信を必要とするデータ属性か否かの選別を行う送信データ選別部と、
前記送信データ選別部の選別結果に基づいて、前記送信データに、正常受信を必要とするか否かに関する情報を組込む送信データ処理部と
を備える送受信機。
【請求項２】
無線を用いてデータを送受信するための無線送受信部と、
正常受信信号の送信処理を行うＡＣＫ合成部とを備え、
データを正常に受信できた場合は正常受信信号を送出することにより正常な無線送受信を行う送受信機であって、
予め受信データに組込まれた情報に基づいて、前記受信データのデータ属性が正常受信を必要とするデータ属性であるか否かの選別を行う受信データ選別部をさらに備え、
前記ＡＣＫ合成部は、前記受信データのデータ属性が正常受信を必要としないデータ属性である場合に、前記受信データが正常に受信されたか否かに関わらず、前記正常受信信号の送信処理を行うことを特徴とする送受信機。
【請求項３】
少なくとも１つの請求項１記載の送受信機と、
少なくとも１つの請求項２記載の送受信機とを備えた無線ＬＡＮシステム。
【請求項４】
請求項１記載の送受信機であって、
前記送信データ処理部が、
前記送信データのデータ属性が正常受信を必要としないデータ属性である場合は、オフ状態の誤り検出有効フラグを付加し、
前記送信データのデータ属性が正常受信を必要とするデータ属性である場合は、オン状態の誤り検出有効フラグを付加することによって、
前記送信データのデータ属性が正常受信を必要とするデータ属性であるか否かに関する情報を組込むこと
を特徴とする送受信機。
【請求項５】
請求項２記載の送受信機であって、
前記受信データ選別部は、
受信データに付加された誤り検出有効フラグがオン状態であるかオフ状態であるかによって、前記受信データのデータ属性が正常受信を必要とするデータ属性であるか否かの選別を行うこと
を特徴とする送受信機。
【請求項６】
請求項１記載の送受信機であって、
前記送信データ処理部は、伝送速度制御部を備え、
正常受信を必要としないデータ属性の送信データを送信するのに用いる第１の伝送速度と、
正常受信を必要とするデータ属性の送信データを送信するのに用いる第１の伝送速度と異なる第２の伝送速度とを予め定めておき、
前記伝送速度制御部が、前記送信データのデータ属性が正常受信を必要とするデータ属性であるか否かに応じて、前記第１の伝送速度または前記第２の伝送速度を選択することにより、
前記送信データのデータ属性が正常受信を必要とするデータ属性であるか否かに関する情報を組込むこと
を特徴とする送受信機。
【請求項７】
請求項２記載の送受信機であって、
前記受信データ選別部は、伝送速度解析部を備え、
正常受信を必要としないデータ属性の送信データを送信するのに用いる第１の伝送速度と、
正常受信を必要とするデータ属性の送信データを送信するのに用いる第１の伝送速度と異なる第２の送信速度とを予め定めておき、
前記伝送速度解析部が、前記受信データが送信された伝送速度の解析を行い、前記受信データが前記第１の伝送速度と前記第２の伝送速度のどちらの伝送速度で送信されたかによって、前記受信データのデータ属性が正常受信を必要とするデータ属性であるか否かの選別を行うこと
を特徴とする送受信機。
【請求項８】
請求項１記載の送受信機であって、
前記送信データ処理部は、同期信号を選択する同期信号選択部を備え、
正常受信を必要としないデータ属性の送信データに付加される第１の同期信号と、正常受信を必要とするデータ属性の送信データに付加される第１の同期信号と異なる第２の同期信号とを予め定めておき、
前記同期信号選択部が、前記送信データのデータ属性が正常受信を必要とするデータ属性であるか否かに応じて、前記送信データに、前記第１の同期信号または前記第２の同期信号を選択付加することにより、
前記送信データのデータ属性が正常受信を必要とするデータ属性であるか否かに関する情報を組込むこと
を特徴とする送受信機。
【請求項９】
請求項２記載の送受信機であって、
前記受信データ選別部は、同期信号の検出を行う同期信号検出部を備え、
正常受信を必要としないデータ属性の送信データに付加される第１の同期信号と、正常受信を必要とするデータ属性の送信データに付加される第１の同期信号と異なる第２の同期信号とを予め定めておき、
前記同期信号検出部が、前記第１の同期信号と前記第２の同期信号のいずれを検出するかによって、前記受信データのデータ属性が正常受信を必要とするデータ属性であるか否かの選別を行うこと
を特徴とする送受信機。
【請求項１０】
請求項８又は９いずれかに記載の送受信機であって、前記第２の同期信号は、前記第１の同期信号のデータ極性を反転したものであること
を特徴とする送受信機。
【請求項１１】
請求項２記載の送受信機であって、
データを正常に受信できたか否かを検出する誤り検出部と、
データを正常に受信できなかった回数を計数する計数部とをさらに備え、
前記計数部で計数された回数が所定の数を越えると、前記ＡＣＫ合成部は、前記受信データ選別部の選別結果によらず、前記受信データを正常受信できなかったときには、前記正常受信信号の送信処理を行わないこと
を特徴とする送受信機。
【請求項１２】
無線ＬＡＮシステムを構成し、無線を用いてデータを送受信するための無線送受信部を備え、他の送受信機へのデータ送信後に、前記他の送受信機からの正常受信信号を受信しなかった場合は、データを再送することにより正常な無線送受信を行う送受信機に用いられ、
送信データの処理を行う半導体集積回路であって、
送信データのデータ属性が正常受信を必要とするデータ属性か否かの選別を行う送信データ選別部と、
前記送信データ選別部の選別結果に基づいて、前記送信データに、正常受信を必要とするか否かに関する情報を組込む送信データ処理部とを備える
半導体集積回路。
【請求項１３】
無線ＬＡＮシステムを構成し、無線を用いてデータを送受信するための無線送受信部を備え、他の送受信機へのデータ送信後に、前記他の送受信機からの正常受信信号を受信しなかった場合は、データを再送することにより正常な無線送受信を行う送受信機に用いられ、
受信データの処理を行う半導体集積回路であって、
正常受信信号の送信処理を行うＡＣＫ合成部と、
予め受信データに組込まれた情報に基づいて、前記受信データのデータ属性が正常受信を必要とするデータ属性であるか否かの選別を行う受信データ選別部をさらに備え、
前記ＡＣＫ合成部は、前記受信データのデータ属性が正常受信を必要としないデータ属性である場合に、前記受信データが正常に受信されたか否かに関わらず、前記正常受信信号の送信処理を行うこと
を特徴とする半導体集積回路。
【請求項１４】
無線を用いてデータを送受信する無線ＬＡＮシステムの送信制御方法であって、
前記データのデータ属性が正常受信を必要とするデータ属性であるか否かの選別を行う選別ステップと、
前記選別ステップの結果に基づいて、前記データのデータ属性が正常受信を必要とするデータ属性であるか否かに関する情報を組込む組込みステップと、
前記組込みステップで情報を組込まれた前記データを送信するステップと
を備える無線ＬＡＮシステムの送信制御方法。
【請求項１５】
無線を用いてデータを送受信する無線ＬＡＮシステムの受信制御方法であって、
予め正常受信を必要とするデータ属性であるか否かに関する情報を組込まれたデータを受信する受信ステップと、
前記受信ステップで受信されたデータのデータ属性が、正常受信を必要とするデータ属性であるか否かに関して選別を行う選別ステップと、
前記選別ステップの結果、前記データのデータ属性が正常受信を必要としないデータ属性である場合には、前記データが正常に受信されたか否かに関わらず正常受信信号を送信する送信ステップと
を備える無線ＬＡＮシステムの受信制御方法。
【請求項１６】
請求項１４記載の無線ＬＡＮシステムの送信制御方法であって、前記正常受信を必要としないデータは映像データであること
を特徴とする無線ＬＡＮシステムの送信制御方法。
【請求項１７】
請求項１５記載の無線ＬＡＮシステムの受信制御方法であって、前記正常受信を必要としないデータは映像データであること
を特徴とする無線ＬＡＮシステムの送信制御方法。
【発明の詳細な説明】
【０００１】
【発明の属する技術分野】
本発明は、無線でデータ伝送を行う無線ＬＡＮシステムに関するものである。さらに詳述すれば、送受信機の受信側が送信データを正常に受信できたときは、送受信機の送信側に正常受信信号（ＡＣＫ）を送信し、送信側が正常受信信号を受信しなかったときはデータを再送することにより正常にデータの送受信を行う無線ＬＡＮシステムに関するものである。
【０００２】
【従来の技術】
送受信機において送信側と受信側との間でデータを送受信する場合、受信側が受信したデータに誤りが含まれることがある。この場合、誤りが少ししかなければ受信側で誤り訂正を行うことにより、データを正常に復元することが可能である。しかしながら誤りが多ければ、データを正常に復元することが出来ずにデータの正常な送受信は行われない。したがって、誤り訂正後に受信データが正常に復元できたか否かの検出を行う必要がある。検出の結果、正常にデータが復元できたことが検出されたときには、正常受信信号（以下、ＡＣＫ）を送信側に送信する。送信側はデータを送信した後、受信側から送信されてきたＡＣＫを受信することにより、データが正常に届いたことを認識する。受信側において、正常にデータが復元できなかったときには、正常受信信号を送信側に送り返さない。送信側は一定期間内にＡＣＫが受信できなかった場合には、データを正常に送れなかったと認識し、再度同一データを送信する。以下、ＡＣＫが受信できるまでこの動作を繰り返すことにより、受信側はデータを正常に受信することができる。
【０００３】
以下説明の簡単のために、上記の誤り訂正について説明は省略をし、本明細書中で「誤り検出」とは「誤り訂正後に正常に復元できたか否かの検出を行うこと」をいい、「誤りが検出される」とは「誤り訂正後に復元できなかった誤りが検出されること」をいい、「正常受信」とは「誤り訂正によって誤りが完全に訂正され、受信されること」をいうものとする。
【０００４】
従来の無線ＬＡＮシステムにおけるデータの送受信について、図面を参照しながら説明する。
【０００５】
図１１は無線ＬＡＮシステムの構成図を示したものである。無線ＬＡＮシステムは複数の送受信機、アクセスポイント、基幹ネットワークから構成される。通信を行う送受信機が同一のアクセスポイントに接続されている場合は、各送受信機は無線によるアクセスポイントとの通信を行うことにより互いにデータの送受信を行うことができる。通信を行う送受信機が異なるアクセスポイントと接続されている送受信機と通信を行う場合は、アクセスポイントとの通信に加えてさらに基幹ネットワークを介したアクセスポイント間の通信を行うことにより、互いにデータの送受信を行うことができる。
【０００６】
図１２は図１１のような無線ＬＡＮシステムで用いられる送受信機の従来の構成を示した図である。このような構成の送受信機の間でデータの送受信は行われる。
【０００７】
まず、データの送信について説明する。１０１は送信側が受信側へと送信する送信元データであり、演算・記憶部１００から出力される。送信データ組立部１２０１は送信元データ１０１がどのような属性のデータか判断し、送信元データ１０１から送信データ１０６への組立処理を行う。送信データ組立部１２０１が行う処理としては、例えば、動画像のようにリアルタイム性が重要である送信元データを送信データへと組立てる際に行う、ＵＤＰＩＰ処理がある。送信データ組立部１２０１は送信データ１０６を組立てると、送信要求信号１０３を送信制御部１０５へ、送信データ１０６をフレーム合成部１０７へと出力する。送信要求信号１０３を受けた送信制御部１０５は、フレーム合成部１０７へとデータ送信命令１０８を出力する。データ送信命令１０８を受け取るとフレーム合成部１０７は、送信先アドレス、送信元アドレス、制御情報によって構成されるヘッダー１を送信データ１０６の先頭に付加し、誤りチェック用のデータによって構成されるフッターを送信データ１０６の最後に付加し、これらをまとめて送信フレームデータ１０９としてデータ送信部１１０へと出力する。データ送信部１１０は送信フレームデータ１０９が入力されると、この先頭にプリアンブル、データ長、送信レートから構成されるヘッダー２を付加し、変調処理を行った上で送信変調データ１１４として無線送受信部１１５に出力する。ここでプリアンブルは、受信側において信号を正確に受信するための同期信号を抽出するために用いられる。無線送受信部１１５は送信変調データ１１４を受信側の送受信機へと送信する。なお、上記のヘッダー１、ヘッダー２、フッターを付加された結果、送信変調データ１１４は図１４のようなデータ構造を持つことになる。
【０００８】
次にデータの受信について説明する。送信側の送受信機から送信された送信変調データ１１４は、アクセスポイントを介して、受信側の送受信機の無線送受信部１１５で受信され、受信変調データ１１６としてデータ受信部１１７へと入力される。データ受信部１１７では受信変調データ１１６の復調処理を行った後に、ヘッダー２に含まれるプリアンブルから同期信号を抽出してデータの同期を確保する。さらにデータ受信部１１７は受信変調データ１１６からヘッダー２を削除し、受信フレームデータ１１８として誤り検出部１１９、受信バッファ１２５へと出力する。誤り検出部１１９では受信フレームデータ１１８に付加されているフッターを利用して、受信フレームデータ１１８が正常受信されたかどうかの検出を行い、正常受信が行われなかった場合は送信制御部１０５及び受信バッファ１２５へと出力される誤り検出信号１２２をＯＮにする。受信バッファ１２５は受信フレームデータ１１８からヘッダー１とフッターを削除して受信データ１２７とし、誤り検出信号１２２がＯＦＦの場合には正しいデータが受信されたことを示す受信要求信号１３１と共に受信データ組立部１２８へと出力する。受信データ組立部１２８では、受信データを組立てると演算・記憶部１００へと出力する。誤り検出信号がＯＮの場合には、受信データ１２７は誤りを含んでいるので破棄する。
【０００９】
ＡＣＫの送信について説明する。ＡＣＫは受信側の送受信機から送信側の送受信機へと送信されるので、この動作は受信側の送受信機が行うものである。誤り検出信号１２２がＯＦＦであるときには、送信制御部１０５は、データが正常に受信されたと判断して、ＡＣＫ合成部１１２へとＡＣＫ送信命令１１１を出力する。ＡＣＫ送信命令１１１が出力されると、ＡＣＫ合成部１１２はＡＣＫフレームデータ１１３をデータ送信部１１０へと出力する。データ送信部１１０では通常の送信フレームデータ１０９の場合と同様に、ＡＣＫフレームデータ１１３にヘッダー２を付加し、変調処理を行った後に無線送受信部１１５へと出力する。無線送受信部１１５は送信変調データ１１４として、この変調されたＡＣＫの送信を行う。
【００１０】
ＡＣＫの受信について説明する。ＡＣＫは受信側の送受信機から送信側の送受信機へと送信されるので、この動作は送信側の送受信機が行う。送信側の送受信機は受信変調データ１１６としてＡＣＫを受信すると、データ受信部１１７で同期を確保した後、ヘッダー２を削除してＡＣＫ検出部１２０へと出力する。ＡＣＫ検出部１２０では、受信されたデータがＡＣＫであるかどうかの検出を行う。受信されたデータがＡＣＫであった場合には、受信側においてデータが正常に受信されたものと判断して、ＡＣＫ受信信号１２３をＯＮにする。ＡＣＫ受信信号１２３がＯＮになると、送信制御部１０５は次の送信データの処理に入る。しかしながら、データ送信から一定の時間を経過してもＡＣＫ受信信号１２３がＯＮとならない場合には、受信側の送受信機においてデータが正常に受信されなかったものと判断して、送信制御部１０５はデータの再送処理に入る。
【００１１】
次に図１３を用いて、上記の構成を持った送受信機について、具体例を挙げてデータフローを説明する。図１３は従来例におけるデータフローの一例である。図１３において、送信側の送受信機と受信側の送受信機は２つのデータＤＡＴＡ１、ＤＡＴＡ２の送受信を行う。ここでＤＡＴＡ１については受信側の送受信機において正常受信され、ＤＡＴＡ２については１回目では受信側の送受信機で正常受信されず、２回目の送信で正常受信されたものとする。
【００１２】
１３０１のフローはＤＡＴＡ１の送受信を表している。データを送信する場合、フレーム合成部１０７において送信データ１０６にヘッダー１及びフッターが付加され送信フレームデータ１０９となる。次にデータ送信部１１０において、送信フレームデータ１０９にヘッダー２が付加され、送信変調データ１１４へと変調された後に受信側の送受信機へと送信される。
【００１３】
受信側の送受信機では送信側の送受信機から送信された送信変調データ１１４を、受信変調データ１１６として受信する。データ受信部１１７は受信変調データ１１６に付加されたヘッダー２を利用して同期を確保するとヘッダー２を削除し、受信フレームデータ１１８とする。ＤＡＴＡ１は正常に受信されるので、誤り検出部１１９において誤りが検出されない。受信フレームデータ１１８は受信バッファ１２５において、ヘッダー１とフッターを削除され、受信データ１２７となる。
【００１４】
１３０２はＡＣＫの送受信を表している。ＤＡＴＡ１は正常に受信されているので、送信制御部１０５はＡＣＫ合成部１１２へと出力されるＡＣＫ送信命令１１１を出力する。ＡＣＫ送信命令１１１が出力されると、ＡＣＫ合成部１１２は、ＡＣＫフレームデータ１１３をデータ送信部１１０へと送信する。ＡＣＫフレームデータ１１３を入力されたデータ送信部１１０は、これにヘッダー２を付加して、送信変調データ１１４として送信側の送受信機へと送信する。
【００１５】
送信側の送受信機では受信変調データ１１６としてＡＣＫを受信すると、データ受信部においてＡＣＫに付加されたヘッダー２を利用して同期を確保し、ヘッダー２を削除してＡＣＫ検出部１２０へと出力する。ＡＣＫ検出部１２０でＡＣＫを受信したことを確認すると、ＡＣＫ受信信号１２３がＯＮとなり、送信側の送受信機は次の送信データＤＡＴＡ２の送信準備に入る。
【００１６】
１３０３はＤＡＴＡ２の送受信を表している。送信側の送受信機においてはＤＡＴＡ１の場合と同様にして送信処理が行われる。受信側の送受信機においてもＤＡＴＡ１の場合と同様に受信処理が行われていくが、今回は正常受信されないので誤り検出部１１９において誤りが検出される。すると送信制御部１０５はＡＣＫ合成部１１２へとＡＣＫ送信命令１１１を出力しない。従って、ＡＣＫは送信されない。
【００１７】
１３０４はデータの再送を示している。送信側の送受信機で一定時間ＡＣＫを受信しないと、送信制御部１０５が先ほど送信したデータについてのデータ送信命令１０８を出力し、データの再送処理に入る。再送処理における送受信はＤＡＴＡ１の送受信１３０１の場合と同様にして行われる。データは正常に受信されるので、誤り検出部１１９において誤りが検出されない。
【００１８】
１３０５はＡＣＫの送受信を示している。ＤＡＴＡ２は再送によって、受信側の送受信機において正常に送受信されたので、受信側の送受信機から送信側の送受信機へとＡＣＫが送信される。この処理は１３０５と同様にして行われる。
【００１９】
上記のような手順を繰り返すことにより、送信側の送受信機と受信側の送受信機の間で正常にデータの送受信が行われる。
【００２０】
【発明が解決しようとする課題】
従来の無線ＬＡＮシステムでは、データの誤りが発生した時に同一データの再送が発生するため、データ転送レートが低下する。しかしながら、データの内容によっては、正常に受信されなくてもシステム動作に与える影響が少ないデータと、正常に受信されないとシステム動作に与える影響が大きいデータが存在する。例えば、動画像を無線ＬＡＮシステムで伝送する場合に、伝送されるデータは、制御系データと、映像データとに分けられる。制御系データが正常に受信されないと動画像を再生することは出来ないが、映像データが正常に受信されなくとも人間の目では誤りを識別するのが難しい。しかも映像データの方が制御系データよりも、データ量がはるかに大きいという特長がある。従来の無線ＬＡＮシステムでは、正常に受信されなくてもシステム動作に与える影響が少ないデータと、正常に受信されないとシステム動作に与える影響が大きいデータと、どちらについても誤りが検出されたときには再送が発生する。また、データ量が大きい方が誤りのおきる回数は当然大きくなる。従って、動画像を伝送する場合には、正常に受信されなくとも影響が少ないがデータ量が大きい映像データの伝送で誤りが多く発生し、正常受信ができずに再送が行われることにより、データの実伝送レートが低下し、解像度の大きな画面が送れないという問題があった。
【００２１】
【課題を解決するための手段】
本発明は、この課題を解決するために発明されたもので、送信側において、正常受信を必要とするか否かによって送信データの選別を行い、正常受信を必要とするか否かに関する情報を送信データ自体に組込む。
【００２２】
受信側においては、この送信データに組込まれた情報を検出することで、受信したデータが正常受信を必要とするか否かの判断をし、正常受信を必要としない場合には、正常受信が行われたか否かに関わらず、ＡＣＫを送信側へと送信する。
【００２３】
これにより、正常受信を必要としないデータについては、受信側で誤りが検出されたときでも再送が行われないので、高いデータ伝送速度を実現することができる。
【００２４】
また、誤りを検出した回数を計数しておくことで、通信環境が悪く、誤りが多発するような場合には、通常のデータ送受信を行うことも可能である。
【００２５】
なお、正常受信を必要とするか否かに関する情報を組込む手段としては、送信データにフラグを付与する方法、送信レートで識別する方法、プリアンブルを異なる形にする方法などが挙げられる。
【００２６】
【発明の実施の形態】
本発明においても、無線ＬＡＮシステムの全体構成は図１１のように表される。すなわち、無線ＬＡＮシステムは複数の送受信機、アクセスポイント、基幹ネットワークから構成され、通信を行う送受信機が同一のアクセスポイントに接続されている場合は、各送受信機は無線によるアクセスポイントとの通信を行うことにより互いにデータの送受信を行うことができ、通信を行う送受信機が異なるアクセスポイントと接続されている送受信機と通信を行う場合は、アクセスポイントとの通信に加えてさらに基幹ネットワークを介したアクセスポイント間の通信を行うことにより、互いにデータの送受信を行うことができる。
【００２７】
しかしながら本発明においては、高い伝送速度を実現するために、無線ＬＡＮシステムで用いられる送受信機の構成が従来と異なっている。以下、本明細書において、説明の簡単のためにアクセスポイント、基幹ネットワークについては説明を省略し、送受信機の構成について詳細に説明する。
【００２８】
（実施の形態１）
本発明の実施の形態１について図面を参照しながら説明する。図１は本実施の形態における無線ＬＡＮシステムで用いられる送受信機の構成を示した図である。以下の説明においては、説明の簡単のため、図１における送受信機の主に送信機能の構成を示した図２と、図１における送受信機の主に受信機能の構成を示した図３と分けて説明を行う。
【００２９】
図２を用いて送信側の送受信機１におけるデータの送信について説明する。まず、演算・記憶部１００が、送信元データ１０１を送信データ選別部１０２へと出力する。送信データ選別部１０２は、従来例における送信データ組立部１２０１の機能に加えて、組立てられた送信データ１０６が正常受信を必要とするデータであるか否かによって、送信データ１０６を選別する機能を有する。送信データ１０６が正常受信を必要とする場合には、正常受信を必要とすることを示す誤り検出ＯＮ信号１０４を送信制御部１０５へ出力し、送信データ１０６が正常受信を必要としないデータである場合には誤り検出ＯＮ信号１０４は出力しない。なお、従来から送信データ組立部１２０１はデータの組立の際にデータ属性の判断を行っていたので、上記の選別機能は容易に実現することができる。送信制御部１０５は送信要求信号１０３に従いデータ送信命令１０８を出力し、誤り検出ＯＮ信号１０４が出力されていない場合には誤り検出有効フラグ１３０をＯＦＦにする。誤り検出ＯＮ信号１０４が出力されている場合には誤り検出有効フラグ１３０はＯＮとなる。フレーム合成部１０７は、データ送信命令１０８が出力されると、送信先アドレス、送信元アドレス、制御情報及び誤り検出有効フラグ１３０の状態をヘッダー１として送信データ１０６の先頭に付加し、誤りチェック用のデータをフッターとして送信データ１０６の最後に付加し、送信フレームデータ１０９を出力する。以下の送信動作は従来例と同様であるのでここでは説明を省略するが、送信処理の結果として送信される送信変調データ１１４のデータ構造は図４のようになる。本実施の形態においては、ヘッダー１内に従来例には無い誤り検出有効フラグが挿入されている。
【００３０】
次に図３を用いて受信側の送受信機２におけるデータの受信及びＡＣＫの送信について説明する。送信側の送受信機１から送信された送信変調データ１１４は、受信側の送受信機２の無線送受信部１１５で受信され、受信変調データ１１６としてデータ受信部１１７へと出力される。データ受信部１１７では復調処理を行った後に、ヘッダー２に含まれるプリアンブルから同期信号を抽出してデータの同期を確保する。さらにデータ受信部１１７は受信変調データ１１６からヘッダー２を削除し、受信フレームデータ１１８として誤り検出部１１９、受信バッファ１２５及びフレーム解析部１２１へと出力する。本実施の形態においては、フレーム解析部１２１が受信データ選別部を構成している。誤り検出部１１９では受信フレームデータ１１８に付加されているフッターを利用して、受信フレームデータ１１８の誤り検出を行い、受信フレームデータ１１８に誤りが検出された場合は送信制御部１０５及び受信バッファ１２５へと出力される誤り検出信号１２２をＯＮにする。フレーム解析部１２１は受信フレームデータ１１８内の誤り検出有効フラグを解析し、誤り検出有効フラグがＯＦＦである場合には、信号マスク部２００へと出力される受信誤り許可フラグ１２４をＯＮにする。計数部２０１は、誤り検出部１１９で誤りが検出された回数をカウントする機能を有する。計数部２０１がカウントした回数が設定された所定の値を超えると、計数部２０１はマスク信号２０２をＯＮとする。信号マスク部２００は、マスク信号２０２がＯＦＦの場合は、受信誤り許可フラグ１２４をそのまま送信制御部１０５へと出力する（２０３）。マスク信号２０２がＯＮの場合は、受信誤り許可フラグ１２４の状態によらず、これをＯＦＦにして送信制御部へと出力する（２０３）。誤り検出回数をカウントすることによって、誤りが多数生じる場合にはＡＣＫの送受信を従来通りに行うことが可能となり、連続して正常受信に失敗することによりデータが大きく乱れるのを防ぐことが出来る。送信制御部１０５は誤り検出信号１２２がＯＦＦである場合と、受信誤り許容信号２０３がＯＮである場合に、ＡＣＫ送信命令１１１を出力する。ＡＣＫ合成部１１２ではＡＣＫ送信命令１１１が出力されるとＡＣＫフレームデータ１１３をデータ送信部１１０に出力する。データ送信部１１０ではＡＣＫフレームデータ１１３にヘッダー２を付加し、送信変調データ１１４として無線送受信部１１５へと出力する。無線送受信部１１５は送信変調データ１１４としてＡＣＫを送信側の送受信機１へと送出する。受信バッファ１２５は、誤り検出信号１２２がＯＦＦである場合と、受信誤り許容信号２０３がＯＮである場合に受信フレームデータ１１８からヘッダー１とフッターを取り除き正しいデータが受信されたことを示す受信要求信号１３１と共に受信データ１２７と誤りフラグ１２６を出力する。ここで誤りフラグ１２６は誤り検出部１１９で検出された誤り検出信号１２２と同一の状態を出力する。受信データ組立部１２８は受信要求信号１３１にしたがって受信データ１２７と誤りフラグ１２６を取り込み、受信データ１２７から受信組立データ１２９を組立、出力する。さらに誤りフラグ１２６がＯＮの場合は、受信データが誤りを含んでいるので、受信組立データ１２９の補正処理などを行う。誤り検出信号１２２がＯＮかつ受信誤り許容信号２０３がＯＦＦである場合は、受信組立データ１２９の組立は行わない。
【００３１】
送信側の送受信機１におけるＡＣＫの受信の詳細に関しては従来例と同様であるので、ここでは説明を省略する。送信側の送受信機１において、ＡＣＫが受信されなかった時は、送信側の送受信機１はデータの再送を行う。この際、誤り検出ＯＮ信号１０４の状態によらず誤り検出有効フラグ１３０はＯＮとする。すなわち、データは正常受信を必要とするデータとして再送処理を行う。
【００３２】
次に図５を用いて、上記の構成を持った送受信機について、具体例を挙げてデータフローを説明する。図５は実施の形態１におけるデータフローの一例である。送信側の送受信機１から受信側の送受信機２へと３つのデータが送信され、ＤＡＴＡ１、ＤＡＴＡ３は正常受信され、ＤＡＴＡ２が正常受信されなかった場合のデータフローを示している。データの種類は、ＤＡＴＡ１のみ正常受信を必要とするデータであり、ＤＡＴＡ２、ＤＡＴＡ３は正常受信を必要としないデータであるとする。またデータフローの最初において、受信側の送受信機２では計数部２０１のカウントが０であり、計数部２０１に設定された所定の値は１０であるとする。
【００３３】
５０１のフローはＤＡＴＡ１の送受信を表している。ＤＡＴＡ１は正常受信を必要とするデータであるので、送信データ選別部１０２は誤り検出ＯＮ信号１０４を出力する。よってフレーム合成部１０７は、ＯＮ状態の誤り検出有効フラグ１３０を含むヘッダー１及びフッターを送信データ１０６に付加し、送信フレームデータ１０９とする。次にデータ送信部１１０において、送信フレームデータ１０９にヘッダー２が付加され、送信変調データ１１４へと変調された後に受信側の送受信機２へと送信される。
【００３４】
受信側の送受信機２では送信側の送受信機１から送信された送信変調データ１１４を、受信変調データ１１６として受信する。データ受信部１１７は受信変調データ１１６に付加されたヘッダー２を利用して同期を確保するとヘッダー２を削除し、受信フレームデータ１１８として、誤り検出部１１９及びフレーム解析部１２１へと出力する。ＤＡＴＡ１は正常に受信されるので、誤り検出部１１９において誤りが検出されない。よって計数部２０１のカウントは増えない。また、誤り検出有効フラグ１３０がＯＦＦであるので、フレーム解析部１２１が出力する受信誤り許可フラグ１２４もＯＦＦのままである。信号マスク部２００はマスク信号２０２がＯＦＦであるので、受信誤り許可フラグ１２４をそのままの状態（２０３）で送信制御部１０５及び受信バッファ１２５へと出力する。正常受信されているので、受信フレームデータ１１８は、受信バッファ１２５においてヘッダー１とフッターを削除され、受信データ１２７として、受信要求信号１３１と共に受信データ組立部１２８へと出力される。
【００３５】
５０２はＡＣＫの送受信を表している。ＤＡＴＡ１は受信側の送受信機２において正常に受信されているので、送信制御部１０５はＡＣＫ合成部１１２へとＡＣＫ送信命令１１１を出力する。ＡＣＫ送信命令１１１が出力されると、ＡＣＫ合成部１１２は、ＡＣＫフレームデータ１１３をデータ送信部１１０へと送信する。ＡＣＫフレームデータ１１３を入力されたデータ送信部１１０は、これにヘッダー２を付加して、送信変調データ１１４として送信側の送受信機１へと送信する。
【００３６】
送信側の送受信機１では受信変調データ１１６としてＡＣＫを受信すると、データ受信部においてＡＣＫに付加されたヘッダー２を利用して同期を確保し、ヘッダー２を削除してＡＣＫ検出部１２０へと出力する。ＡＣＫ検出部１２０でＡＣＫを受信したことを確認すると、ＡＣＫ受信信号１２３がＯＮとなり、送信側の送受信機１は次の送信データＤＡＴＡ２の送信準備に入る。
【００３７】
５０３はＤＡＴＡ２の送受信を表している。ＤＡＴＡ２は正常受信を必要としないデータであるので、送信データ選別部１０２は誤り検出ＯＮ信号１０４を出力しない。よってフレーム合成部１０７は、ＯＦＦ状態の誤り検出有効フラグ１３０を含むヘッダー１及びフッターを送信データ１０６に付加し、送信フレームデータ１０９とする。次にデータ送信部１１０において、送信フレームデータ１０９にヘッダー２が付加され、送信変調データ１１４へと変調された後に受信側の送受信機２へと送信される。
【００３８】
受信側の送受信機２では送信側の送受信機１から送信された送信変調データ１１４を、受信変調データ１１６として受信する。データ受信部１１７は受信変調データ１１６に付加されたヘッダー２を利用して同期を確保するとヘッダー２を削除し、受信フレームデータ１１８とすると、誤り検出部１１９及びフレーム解析部１２１へと出力する。ＤＡＴＡ１は正常に受信されないので、誤り検出部１１９において誤りが検出される。よって計数部２０１のカウントは増えて１となる。また、誤り検出有効フラグ１３０がＯＮであるので、フレーム解析部１２１が出力する受信誤り許可フラグ１２４がＯＮとなる。信号マスク部２００はマスク信号２０２がＯＦＦであるので、受信誤り許可フラグ１２４をそのままの状態（２０３）、すなわちＯＮ状態で送信制御部１０５及び受信バッファ１２５へと出力する。受信データは正常に受信されていないものの、受信誤り許容信号２０３がＯＮであるので、受信バッファ１２５は、受信フレームデータ１１８からヘッダー１とフッターを削除し、受信データ１２７として、受信要求信号１３１と共に受信データ組立部１２８へと出力する。
【００３９】
５０４はＡＣＫの送信を示している。受信データは正常に受信されているものの、受信誤り許容信号２０３がＯＮであるので、送信制御部１０５はＡＣＫの送信処理を行う。以下の手順は５０２の場合と同様に行われる。
【００４０】
５０５はＤＡＴＡ３の送受信を示している。送信手順は５０２の場合と同様であるので省略する。受信側においては、ＤＡＴＡ３は正常に受信される。したがって誤り検出信号１２２はＯＦＦとなるので、計数部の計数回数はリセットされる。
【００４１】
ＤＡＴＡ３は正常に受信されたのでＡＣＫが送信される。送受信動作は５０２と同様であるので省略する。
【００４２】
次に図６を用いて、別の具体例を挙げてデータフローを説明する。図６は実施の形態１におけるデータフローの一例である。送信側の送受信機１から受信側の送受信機２へと送信されるＤＡＴＡ１、ＤＡＴＡ２ともに正常受信を必要としないデータであり、ＤＡＴＡ１を正常に受信しないことにより、計数部２０１がカウントした回数が設定された所定の値である１０回を超えた場合の例を示している。なお、データの送受信の詳細は図５の場合と同様であるので図６の説明では省略する。
【００４３】
このデータフローでは計数部２０１に設定された所定の値は１０であり、本データフローの開始前の段階ですでに連続して正常受信に失敗しているため、受信側の送受信機２では計数部２０１のカウントが９となっているものとする。６０１はＤＡＴＡ１の送受信を示している。ＤＡＴＡ１は受信側の送受信機２において正常に受信されないが、ＤＡＴＡ１は正常受信を必要としないＤＡＴＡであるので、受信側の送受信機２はＡＣＫを送信する。また、ＤＡＴＡ１が正常に受信されないことにより計数部２０１のカウントは１０となる。これによって次に送受信されるデータを正常に受信されなかった場合には、そのＤＡＴＡが正常受信を必要とするか否かに関わらず、ＡＣＫを返さないこととなる。
【００４４】
６０２はＡＣＫの送受信を示している。詳細は図５の説明と同様であり、ＡＣＫを受信することにより、送信側はＤＡＴＡ２の送信処理に取り掛かる。
【００４５】
６０３はＤＡＴＡ２の送受信を示している。ＤＡＴＡ２は正常受信を必要としないデータである。従ってマスク信号２０２がＯＮでない場合には、ＤＡＴＡ２が正常に受信されたか否かに関わらずＡＣＫを返さないこととなる。しかしながら、ＤＡＴＡ１の送受信において計数部のカウント数が所定の値に達したので、今回の送受信においてデータが正常に受信されなかった場合には計数部２０１のカウント数は所定の値を超えることとなる。すると、マスク信号２０２がＯＮとなり、データが正常受信を必要とするデータであるか否かに関わらず、誤りを検出した場合には受信側の送受信機２はＡＣＫを送信せず、送信側の送受信機１はデータの再送を行うこととなる。６０３のＤＡＴＡ２の送受信において、ＤＡＴＡ２は正常に受信されない。従って計数部２０１のカウント数は１１となり、所定の値を超えたのでＡＣＫの送信は行われていない。
【００４６】
６０４はＤＡＴＡ２の再送を示している。６０３のＤＡＴＡ２の送信に対してＡＣＫの送受信が行われないので、送信側の送受信機１はＤＡＴＡ２の再送処理を行う。データの再送処理であるので、誤り検出ＯＮ信号１０４の状態によらず誤り検出有効フラグ１３０をＯＮとしてヘッダー１に付与する。よってＤＡＴＡ２は正常受信を必要とするデータとして取り扱われる。今回の送信でＤＡＴＡ２は受信側の送受信機２において正常に受信されるので、計数部２０１のカウント数はリセットされ、マスク信号２０２はＯＦＦとなる。また、受信側の送受信機２は送信側の送受信機１へとＡＣＫを送信する。
【００４７】
６０５はＡＣＫの送受信を示している。説明は省略する。
【００４８】
以上のように本実施の形態によれば、予めデータを正常受信が必要であるか否かで分類しておき、そのことを示すフラグを付与してデータ送信することにより、例えば動画像における映像データなどのように、データ量が大きいが正常受信を必要としないデータの再送回数を減らすことが出来る。したがってデータの高速送受信が可能である。
【００４９】
また、計数部２０１を設けることにより、通信環境の悪化などでデータが大きく乱れたときには、データの正常受信を優先させ、一定以上のデータの乱れを抑えることができる。
【００５０】
なお、本実施の形態において計数部２０１は正常受信を一度でも行うとカウントした値をリセットしているが、複数回連続して正常受信を行った場合にのみカウント数をリセットするようにしても良い。
【００５１】
なお、本実施の形態の説明において、ＯＮ状態にＨＩＧＨをＯＦＦ状態にＬＯＷを用いているが、当然にこれは任意の極性で良い。また、誤り検出有効フラグ１３０をヘッダー１にいれたが、ヘッダー２もしくはフッターにいれても問題ない。
【００５２】
（実施の形態２）
本発明の実施の形態２について図面を参照しながら説明する。なお、説明の簡単のため、送受信機の主に送信機能の構成を示した図７と送受信機の主に受信機能の構成を示した図８とに分けて説明する。以下、図７，８を用いて説明を行う。
【００５３】
図７は、本発明の実施の形態２における送信側の送受信機１を、図８は本発明の実施の形態２における受信側の送受信機２を示したものである。
【００５４】
まず、図７を用いてデータの送信について説明する。１０２は送信データ選別部、１０１は送信元データ、１０３は送信要求信号、１０４は誤り検出ＯＮ信号、１０６は送信データ選別部１０２で組立てられた送信データであり、これらの動作は実施の形態１と同様である。送信制御部１０５は誤り検出有効フラグ１４０をフレーム合成部１０７ではなく、送信速度選択部１４３へ出力する点で実施の形態１と異なっている。フレーム合成部１０７は従来例と同様に、送信制御部１０５から出力されるデータ送信命令１０８が出力されると、送信先アドレス、送信元アドレス、制御情報をヘッダー１として送信データ１０６の先頭に付加し、誤りチェック用のデータをフッターとして送信データ１０６の最後に付加し、送信フレームデータ１０９をデータ送信部１１０へと出力する。１４１は第１の速度記憶部であり正常受信を必要としないデータの送信に使用する第１の送信速度が記憶されている。１４２が第２の速度記憶部であり正常受信を必要とするデータの送信に使用する第２の送信速度が記憶されている。送信速度選択部１４３は誤り検出有効フラグ１４０がＯＮ状態のときに第２の速度記憶部１４２に記憶されている第２の記憶速度を送信速度信号１４４としてデータ送信部１１０に出力し、誤り検出有効フラグ１４０がＯＦＦ状態のときに第１の速度記憶部１４１に記憶されている第１の記憶速度を送信速度信号１４４としてデータ送信部に出力する。データ送信部１１０は、第１あるいは第２の速度記憶部から出力された送信速度に基づいて、ヘッダー１からフッターまでを変調処理し、ヘッダー２のレート部分に送信速度に関する情報を付与する。ヘッダー２は送受信機の間で予め決められた送信速度で変調処理され、ヘッダー２からフッターまではまとめて送信変調データ１１４として無線送受信部１１５へと出力される。無線送受信部１１５は送信変調データ１１４を受信側の送受信機２へと送信する。このように複数の送信速度を使い分けることで、送信データが正常受信を必要とするデータであるか、正常受信を必要としないデータであるかに関する情報を組込む。
【００５５】
次に図８を用いてデータの受信について説明する。送信側の送受信機１から送信された送信変調データ１１４は、受信側の送受信機２の無線送受信部１１５で受信され、受信変調データ１１６としてデータ受信部１１７へと出力されると共に、伝送速度解析部２１０へも出力される。伝送速度記憶部２１１は、予め正常受信を必要とするデータの送受信に用いる伝送速度を記憶している。伝送速度解析部２１０は受信変調データのヘッダー２のレート部分に書き込まれた送信速度と伝送速度記憶部２１１に記憶された値との比較を行い、一致する場合には信号マスク部２００へと出力される受信誤り許可フラグ１２４をＯＦＦにし、一致しない場合には受信誤り許可フラグ１２４をＯＮにする。以下の動作は実施の形態１の場合と同様である。すなわち、受信誤り許可フラグ１２４がＯＦＦの場合は、誤り検出部１１９で正常に受信されなかったことが検出されたならばＡＣＫを送信側に返信しないが、受信誤り許可フラグ１２４がＯＮの場合は、誤り検出部１１９で正常に受信しなかったことが検出されたとしてもＡＣＫを返信する。本実施の形態においては、伝送速度解析部２１０と伝送速度記憶部２１１とで受信データ選別部を構成している。
【００５６】
本実施の形態においては、送信速度を選択することにより正常受信を必要とするか否かの情報を組込むので、実施の形態１と比べるとフラグを送信データに付与することによるデータ量の増加を招くことなく、より効果的に送受信の実伝送レートを高くすることができる。
【００５７】
なお、送信速度が低速である方が、正常受信を失敗する可能性は少ないので、正常受信を必要とするデータ属性のデータの送信は低速に、正常受信を必要としないデータ属性のデータの送信は高速になるように送信速度を選択するのが望ましい。
【００５８】
また、送信速度は正常受信を必要とするデータ属性のデータの送受信に１つ、正常受信を必要としないデータ属性のデータの送受信に１つの計２つを用いて説明しているが、それぞれ複数でもかまわない。
【００５９】
（実施の形態３）
本発明の実施の形態３について図面を参照しながら説明する。なお、説明の簡単のため、送受信機の主に送信機能の構成を示した図９と送受信機の主に受信機能の構成を示した図１０とに分けている。以下、図９，１０を用いて説明を行う。
【００６０】
図９は、本発明の実施の形態３における送信側の送受信機１を、図１０は本発明の実施の形態３における受信側の送受信機２を示したものである。
【００６１】
まず、図９を用いてデータの送信について説明する。１０２は送信データ選別部、１０１は送信元データ、１０３は送信要求信号、１０４は誤り検出ＯＮ信号、１０６は送信データ選別部１０２で組立てられた送信データであり、これらの動作は実施の形態１と同様である。送信制御部１０５は誤り検出有効フラグ１５０をフレーム合成部１０７ではなく、プリアンブル選択部１５３へ出力する点で実施の形態１と異なっている。フレーム合成部１０７は従来例と同様に、送信制御部１０５から出力されるデータ送信命令１０８が出力されると、送信先アドレス、送信元アドレス、制御情報をヘッダー１として送信データ１０６の先頭に付加し、誤りチェック用のデータをフッターとして送信データ１０６の最後に付加し、送信フレームデータ１０９をデータ送信部１１０へと出力する。１５１は第１のプリアンブル記憶部であり正常受信を必要としないデータの送信に使用する第１のプリアンブル波形が記憶されている。１５２が第２のプリアンブル記憶部であり正常受信を必要とするデータの送信に使用する第２のプリアンブル波形が記憶されている。プリアンブル選択部１５３は誤り検出有効フラグ１５０がＯＮ状態のときに第２のプリアンブル記憶部１５２に記憶されている第２のプリアンブル波形をプリアンブル信号１５４としてデータ送信部１１０に出力し、誤り検出有効フラグ１５０がＯＦＦ状態のときに第１のプリアンブル記憶部１５１に記憶されている第１のプリアンブル波形をプリアンブル信号１５４としてデータ送信部に出力する。データ送信部１１０は、プリアンブル信号１５４をプリアンブルとするヘッダー２を送信フレームデータ１０９に付与し、変調処理を行い、ヘッダー２からフッターまでをまとめて送信変調データ１１４として無線送受信部１１５へと出力する。無線送受信部１１５は送信変調データ１１４を受信側の送受信機２へと送信する。このように２つのプリアンブルを使い分けることで送信データが正常受信を必要とするデータであるか否かに関する情報を組込む。なお、第１のプリアンブル波形と第２のプリアンブル波形を反転したものとなっている。
【００６２】
次に図１０を用いてデータの受信について説明する。送信側の送受信機１から送信された送信変調データ１１４は、受信側の送受信機２の無線送受信部１１５で受信され、受信変調データ１１６としてデータ受信部１１７へと出力されると共に、プリアンブル検出部２２０へも出力される。なお、データ受信部１１７はプリアンブル波形が反転していても同期を確保し、復調処理が可能であるものとする。一般にプリアンブル波形が反転していても同期を確保することは可能である。プリアンブル記憶部２２１は、予め正常受信を必要とするデータの送受信に用いるプリアンブル波形を記憶している。プリアンブル検出部２２０は受信変調データのヘッダー２のプリアンブル波形とプリアンブル記憶部２２１に記憶されたプリアンブル波形との比較を行い、一致する場合には信号マスク部２００へと出力される受信誤り許可フラグ１２４をＯＦＦにし、一致しない場合には受信誤り許可フラグ１２４をＯＮにする。以下の動作は実施の形態１の場合と同様である。すなわち、受信誤り許可フラグ１２４がＯＦＦの場合は、誤り検出部１１９で正常に受信されなかったことが検出されたならばＡＣＫを送信側に返信しないが、受信誤り許可フラグ１２４がＯＮの場合は、誤り検出部１１９で正常に受信しなかったことが検出されたとしてもＡＣＫを返信する。本実施の形態においては、プリアンブル検出部２２０とプリアンブル記憶部２２１とで受信データ選別部を構成している。
【００６３】
本実施の形態においては、極性の異なる２つのプリアンブル波形を使い分けることにより、送信データのデータ属性が正常受信を必要とするデータ属性であるか否かに関する情報を組込むので本実施の形態では実施の形態１のようにフラグ追加によるデータ量の増加を招くことはない。
【００６４】
また、２つのプリアンブル波形は極性の異なる２つを用いているが、複数のプリアンブル波形をデータ受信部１１７が判別可能であれば、どのようなプリアンブル波形を用いても良い。プリアンブルの波形も２つに限られるものではなく、３以上の複数のプリアンブル波形を使い分けても良い。
【００６５】
なお、上記実施の形態１から３までの処理機能は送受信機に組込まれた半導体集積回路によって制御・実現される。
【００６６】
【発明の効果】
以上のように、本発明によれば、データの伝送において正常受信を必要とするデータ属性であるか否かを選別する手段を設けることによって、正常受信を必要としないデータ属性のデータについては、受信側で正常受信を失敗した場合でもデータの再送は行われず、従来よりも高い実伝送速度を実現することができる。また、データの再送は伴うか否かに関わらず、正常受信を失敗した回数を計数しておくことによって、一定以上のデータの乱れを防ぐこともできる。
【図面の簡単な説明】
【図１】実施の形態１における送受信機の全体構成図
【図２】実施の形態１における送信側の送受信機の構成図
【図３】実施の形態１における受信側の送受信機の構成図
【図４】実施の形態１における送信変調データのデータ構造を示した図
【図５】実施の形態１におけるデータフローの例を示した図
【図６】実施の形態１におけるデータフローの別の例を示した図
【図７】実施の形態２における送信側の送受信機の構成図
【図８】実施の形態２における受信側の送受信機の構成図
【図９】実施の形態３における送信側の送受信機の構成図
【図１０】実施の形態３における受信側の送受信機の構成図
【図１１】無線ＬＡＮシステムの構成図
【図１２】従来例における送受信機の構成図
【図１３】従来例におけるデータフローの例を示した図
【図１４】従来例における送信変調データのデータ構造を示した図
【符号の説明】
１　送信側の送受信機
２　受信側の送受信機
１００　演算・記憶部
１０１　送信元データ
１０２　送信データ選別部
１０３　送信要求信号
１０４　誤り検出ＯＮ信号
１０５　送信制御部
１０６　送信データ
１０７　フレーム合成部
１０８　データ送信命令
１０９　送信フレームデータ
１１０　データ送信部
１１１　ＡＣＫ送信命令
１１２　ＡＣＫ合成部
１１３　ＡＣＫフレームデータ
１１４　送信変調データ
１１５　無線送受信部
１１６　受信変調データ
１１７　データ受信部
１１８　受信フレームデータ
１１９　誤り検出部
１２０　ＡＣＫ検出部
１２１　フレーム解析部
１２２　誤り検出信号
１２３　ＡＣＫ検出信号
１２４　受信誤り許可フラグ
１２５　受信バッファ
１２６　誤りフラグ
１２７　受信データ
１２８　受信データ組立部
１２９　受信組立データ
１３０　誤り検出有効フラグ
１３１　受信要求信号
１４０　誤り検出有効フラグ
１４１　第１の速度記憶部
１４２　第２の速度記憶部
１４３　送信速度選択部
１４４　送信速度信号
１５０　誤り検出有効フラグ
１５１　第１のプリアンブル記憶部
１５２　第２のプリアンブル記憶部
１５３　プリアンブル選択部
１５４　プリアンブル信号
２００　信号マスク部
２０１　計数部
２０２　マスク信号
２０３　受信誤り許容信号
【図１】
2004064271.tif 000003
【図２】
2004064271.tif 000004
【図３】
2004064271.tif 000005
【図４】
2004064271.tif 000006
【図５】
2004064271.tif 000007
【図６】
2004064271.tif 000008
【図７】
2004064271.tif 000009
【図８】
2004064271.tif 000010
【図９】
2004064271.tif 000011
【図１０】
2004064271.tif 000012
【図１１】
2004064271.tif 000013
【図１２】
2004064271.tif 000014
【図１３】
2004064271.tif 000015
【図１４】
2004064271.tif 000016